(57)【要約】【課題】水道から分岐した給水管とスプリンクラーヘッドとを接続する継手において、死水が発生せず、廉価に製造可能で給水管への接続も容易に行うことが可能である水道用スプリンクラーヘッドの継手の提供。【解決手段】水平管Ｈの両端に給水管５と接続される接続口２、３を有しており、水平管Ｈの中間部から下方へ垂下して設けられた垂直管Ｖの末端にスプリンクラーヘッド７との接続口４が設置されたＴ型継手であり、水平管Ｈと垂直管Ｖの交差部分に段差８を設けたことで、給水管５から継手１に流入する水流が、段差８で外側に広がり垂直管Ｖに流入する水の量が増える。【選択図】    図１
2005000337.tif 000002
【特許請求の範囲】
【請求項１】
水道から分岐した給水管とスプリンクラーヘッドとを接続する継手であり、水平管の両端には前記給水管と接続される接続口を有しており、水平管の中間部から下方へ垂下して設けられた垂直管の末端にスプリンクラーヘッドとの接続口が設置されたＴ型継手において、水平管と垂直管の交差部分に段差を設けたことを特徴とする水道用スプリンクラーヘッドの接続継手。
【請求項２】
前記水道用スプリンクラーヘッドの接続継手は、内部に前記段差が設けられたＴ型継手と、下端がスプリンクラーヘッドと接続され、上端がＴ型継手の垂直部に接続されるアダプターとによって構成されることを特徴とする請求項１記載の水道用スプリンクラーヘッドの接続継手。
【請求項３】
前記水道用スプリンクラーヘッドの接続継手の水平管の下流側の接続口には、開放時に所定流量以上の流量が放出される水栓が設けられることを特徴とする請求項１または２記載の水道用スプリンクラーヘッドの接続継手。
【請求項４】
前記水道用スプリンクラーヘッドの接続継手には、支持材に固定設置されるためのビス穴を有していることを特徴とする請求項１または２記載の水道用スプリンクラーヘッドの接続継手。
【発明の詳細な説明】
【０００１】
【発明の属する技術分野】
本発明は、水道と接続して構成されたスプリンクラー設備において、水道の給水管とスプリンクラーヘッドを接続する継手に関するものである。
【０００２】
【従来の技術】
スプリンクラー設備は、火災の際に自動的に水を散布して火災の抑制・消火を行うもので、初期消火に非常に効果を発揮するものである。一般家庭においてもスプリンクラー設備を簡易に構成する手段として、水道配管にスプリンクラーヘッドを接続してスプリンクラー設備を構成することができる。
【０００３】
上記スプリンクラー設備の構成としては、水道本管から分岐させた給水管上にスプリンクラーヘッドを設置して、末端を水栓に接続したものである。この給水管に設置されたスプリンクラーヘッドはＴ型継手によって給水管と分岐され、Ｔ型継手から垂下した垂直管に接続される。
【０００４】
しかしながら、末端の水栓を開くと給水管に水道本管から水が流入してくるのだが、Ｔ型継手の垂直管内には流水が発生しない可能性がある。垂直管内の水が長期間停滞すると死水となり、上水道として使用できなくなる問題が生じる。
【０００５】
そこで死水の発生を防ぐために、Ｔ型継手内に仕切り板を設けて垂直管内に水を流入させることや（特許文献１参照）、図５に示すように給水管に設置された継手の垂直部に接続されるスプリンクラーヘッド１５の本体の内周径を、スプリンクラーヘッドのノズル径２０よりも十分大きくすることで、スプリンクラーヘッド本体内周径部の空間１８（「渦流室１８」という）に渦流が発生し、死水の発生を防止したものがある（特許文献２参照）。
【０００６】
【特許文献１】
実開昭５４−５３９９号公報  （第１頁、第１図）
【特許文献２】
特許  第２７４８０１２号公報（第２−３頁、第３図）
【０００７】
【発明が解決しようとする課題】
特許文献１に記載された継手は、仕切り板が設けられていることで流れの抵抗が大きくなってしまう問題がある。また、継手内に仕切り板を形成するために、製造コストが高価となってしまう。
【０００８】
特許文献２に記載された継手は、渦流の発生を促すために継手の形状をＹ型にし、渦流室１８に給水管内を流れる水流が流入しやすくしている。給水管とは屈曲管２６とニップル２５を介して接続されている。
【０００９】
しかし、継手の形状をＹ型にしたことで、給水管と接続する際に屈曲管やニップルを介して給水管に接続しなければならず、継手数の増加、設置コストがかかる等の問題があった。
【００１０】
そこで本発明では、死水が発生せず、廉価に製造可能で、給水管への接続も容易に行うことが可能である水道用スプリンクラーヘッドの継手の提供を目的とする。
【００１１】
【課題を解決するための手段】
上記の目的を達成するために、請求項１記載の発明は、水道から分岐した給水管とスプリンクラーヘッドとを接続する継手であり、水平管の両端には前記給水管と接続される接続口を有しており、水平管の中間部から下方へ垂下して設けられた垂直管の末端にスプリンクラーヘッドとの接続口が設置されたＴ型継手において、水平管と垂直管の交差部分に段差を設けた水道用スプリンクラーヘッドの接続継手である。
【００１２】
請求項２記載の発明は、前記水道用スプリンクラーヘッドの接続継手が、内部に前記段差が設けられたＴ型継手と、下端がスプリンクラーヘッドと接続され、上端がＴ型継手の垂直部に接続されるアダプターとによって構成される請求項１記載の水道用スプリンクラーヘッドの接続継手である。
【００１３】
請求項３記載の発明は、前記水道用スプリンクラーヘッドの接続継手の水平管の下流側の接続口には、開放時に所定流量以上の流量が放出される水栓が設けられる請求項１または２記載の水道用スプリンクラーヘッドの接続継手である。
【００１４】
請求項４記載の発明は、前記水道用スプリンクラーヘッドの接続継手に、支持材に固定設置されるためのビス穴を有している請求項１または２記載の水道用スプリンクラーヘッドの接続継手である。
【００１５】
管路の交差部に段差を設けない場合、水平管内の流れの抵抗となるのは、垂直管との交差部のみであり、該交差部は水平管の内壁に垂直部に続く穴が設けられているだけなので、水流が衝突するような大きな抵抗にはならず、水平管を流れる水流の大部分は水平管内を直線状に流れて垂直管に流入する水流の量は少ない。
【００１６】
管路の交差部に段差を設けると、水平管内を直線状に流れてきた水流は、段差部で水流が乱れて水平管内を直線状に流れる水流の勢いが弱まり、垂直管に流入する水流の量が増える。
【００１７】
【発明の実施の形態】
以下、この発明の第１実施形態を図１から図３を参照して説明する。図１は第１実施形態の水道用スプリンクラーヘッドの接続継手の断面図。図２は図１のＸ−Ｘ断面図。図３は図１の水道用スプリンクラーヘッドの接続継手が設置されたスプリンクラー設備の系統図である。
【００１８】
本発明の水道用スプリンクラーヘッドの接続継手（以下「継手」とする）１は、内部の管路がＴ字形状をしており、水平管Ｈの末端に設けられた接続口２、３と、垂直管Ｖにの末端に設けられた接続口４を有する。
【００１９】
接続口２は水道から分岐した給水管５と接続し、接続口３はトイレタンク６に続く配管に接続される。
【００２０】
ところで、継手１内を流れる水量が多い程、垂直管Ｖ内に流入する水量も増える傾向があることを本発明者達は実験等により把握している。継手１内を流れる水量が微量であると、垂直管Ｖ内にはほとんど水が流入しないことから、接続口３に接続される配管の末端をトイレタンク６のような栓開時に所定流量以上の流量が放出される水栓に接続することで、給水管２内に水流が生じた場合には常に所定流量以上の水が流れ、垂直管Ｖ内に水が流入して死水の発生を防止することができる。
【００２１】
接続口４にはスプリンクラーヘッド７が接続される。スプリンクラーヘッド７は水道水を用いることから、水道の圧力および流量に適したスプリンクラーヘッドを設置する必要がある。スプリンクラーヘッドの仕様の一例として、流量が３０リットル毎分で最低使用圧力が０．０５から０．１ＭＰａのスプリンクラーヘッドが接続可能である。
【００２２】
垂直管Ｖの長さを長くしすぎると、垂直管Ｖの末端まで水流が流れない可能性があることから、垂直管Ｖの長さは、水平管Ｈの軸Ａから垂直管の末端までの長さＬ１が１５０ミリメートルを超えない範囲とすることが好ましい。
【００２３】
水平管Ｈと垂直管Ｖとの交差部には、段差８が設けられている。段差８は垂直管Ｖの上部の水平管Ｈとの交差部に、垂直管Ｖの内周径よりも大きな径で円筒状にくり貫かれて形成されている。
【００２４】
継手１の外壁には継手１を梁等の支持材に取付るためのビス穴９が複数穿設されている。
【００２５】
次に、上記第１実施形態の継手の作用について説明する。
【００２６】
給水管５の末端に設置されているトイレタンク６の水栓が開栓されると、給水管５内にはトイレタンク６に向かって水が流れる。そして、給水管５の途中に設けられている継手１内にも流水が生じる。継手１内の段差８付近で水流は外側に広げられ、垂直管Ｖ内へ流れる水の流れが発生する。
【００２７】
また、段部８によって給水管５内をスムーズに流れてきた水は、段部８によって水流が乱れ、流れの勢いが弱まり垂直管に流入する水流の量が増える。
【００２８】
その結果、垂直管Ｖ内に水が多く流れ込み、死水の発生を防ぐことが可能となる。
【００２９】
次に、本発明の第２実施形態について図４を参照して説明する。図４は第２実施形態の継手の断面図である。
【００３０】
第２実施形態の継手は、第１実施形態の継手１の接続口４にアダプター１０を介してスプリンクラーヘッドが接続されるものである。
【００３１】
接続口４にアダプター１０を接続すると、継手１の交差部からスプリンクラーヘッド７までの距離が長くなり、アダプター１０をあまりにも長くすると下端まで水流が及ばずに死水が発生する可能性がある。
【００３２】
死水の発生を防ぐためにアダプター１０の長さは、継手１にアダプター１０を取付けた状態で、継手１の水平管Ｈの軸Ａからアタプター１０の末端までの長さＬ２が１５０ミリメートルを超えない範囲で調節する。
【００３３】
第２実施形態の継手の作用および該継手が接続されるスプリンクラー設備の系統については、第１実施形態と同様であることから説明は省略する。
【００３４】
【発明の効果】
以上説明したように、本発明によればＴ型継手の管路の交差部に段差を設けたことで、垂直管内に水を流入させて死水の発生を防止することが可能である。
【００３５】
前述の特許文献１に記載された継手のように、内部に仕切り板を施すような形成技術を必要とせず、また特許文献２に記載されたように給水管との接続に屈曲管やニップルを必要としないので、設置にかかる時間や手間も削減できる効果を有している。
【００３６】
さらに、内部構造が簡素であり継手形状がＴ型であるので、垂直管の長さを短くすることができ、天井裏の高さが低い場合でも設置が可能である。あるいは継手と天井との間に断熱材が設置される場合には、継手とスプリンクラーヘッドをアダプターを介して接続することで高さ位置の調整が可能である。
【図面の簡単な説明】
【図１】第１実施形態の水道用スプリンクラーヘッドの接続継手の断面図
【図２】図１のＸ−Ｘ断面図
【図３】図１の水道用スプリンクラーヘッドの接続継手が設置されたスプリンクラー設備の系統図
【図４】第２実施形態の水道用スプリンクラーヘッドの接続継手の断面図
【図５】特許文献２に記載されている継手
【符号の説明】
１  継手
２、３、４  接続口
５  給水管
６  トイレタンク
７  スプリンクラーヘッド
８  段差
１０  アダプター
Ｈ  水平管
Ｖ  垂直管
【図１】
2005000337.tif 000003
【図２】
2005000337.tif 000004
【図３】
2005000337.tif 000005
【図４】
2005000337.tif 000006
【図５】
2005000337.tif 000007